【事件の表示】
　特許第３３１６２４４号「ナビゲーション表示における案内情報の選択方法」の請求項１ないし３に係る特許に対する特許異議の申立てについて、次のとおり決定する。
【結　論】
　特許第３３１６２４４号の請求項１ないし３に係る特許を維持する。
【理　由】
１．手続の経緯
　特許第３３１６２４４号の請求項１ないし３に係る発明についての出願は、平成５年１月２１日に特許出願され、平成１４年６月７日にその発明についての特許権の登録設定がされ、その後、その特許について、異議申立人西郷純一により特許異議の申立てがなされたものである。
　
２．申立の理由の概要
　申立人は、下記の甲第１号証により、請求項１に係る発明の特許は、特許法第２９条の２に違反してなされたものであるから、特許を取り消すべき旨、及び下記の甲第２号証より、請求項２及び３に係る発明の特許は、特許法第２９条の２に違反してなされたものであるから、特許を取り消すべき旨主張している。
甲第１号証：特願平４−１２０８１１号の願書に最初に添付された明細書及び図面（特開平６−４３８０７号公報参照）
甲第２号証：特願平４−２９９３６２号の願書に最初に添付された明細書及び図面（特開平５−１９７３３７号公報参照）
　
３．本件発明
　特許第３３１６２４４号の請求項１ないし３に係る発明（以下、それぞれ、「本件発明１ないし３」という。）は、その特許請求の範囲の請求項１ないし３に記載されたとおりのものである。
　
４．甲各号証に記載の発明
（１）甲第１号証
　甲第１号証には、
ア）「上記ナビゲーション装置を駆動させると・・・。このとき、現在地とともに現在地周辺の登録地および施設が表示される。また、メカスイッチ１２、タッチスイッチ１３の操作により、周辺登録地および周辺施設の検索が行われ、その検索結果がＣＲＴ１１の表示画面に表示され、運転者は、目的とする周辺登録地および周辺施設に関する情報を得ることができる。」（段落【００２５】）
イ）「タッチスイッチ１３ａの「メニュー」を押すと、図５（ｂ）のように、タッチスイッチ「全国地図」、「施設」、「登録地」、目的地」、「ＣＤＣＲＡＦＴ」１３ｂを有する情報検索画面がＣＲＴ１１の画面に表示される。・・・。地図を出すには、情報検索画面のタッチスイッチ１３ｂの「全国地図」を押して全国地図を利用する方法と、タッチスイッチ１３ｂの「施設」を押して施設を利用する方法との２種類の方法がある。・・・、「ＣＤＣＲＡＦＴ」を押すと、朝市、温泉、ゴルフ場、有名店等の各種施設の案内情報が音声をまじえて表示される。」（段落【００２７】）
ウ）「図６は登録地を登録するための操作手順を示す図である。図６を参照して、登録地を登録するための操作について説明する。・・・。図６（ａ）において、タッチスイッチ１３ａの「メニユー」を押すと、図６（ｂ）のように、タッチスイッチ「現在地設定」、「目的地設定」、「登録地設定」、「環境設定」、「周辺施設」、「周辺登録地」、「ルート情報」、「方位情報」１３ｅを有するメニュー画面がＣＲＴ１１の表示画面に表示される。（【段落００３１】）
エ）「タッチスイッチ１３ｅの「登録地設定」を押すと、図６（ｃ）のように、ＣＲＴ１１の画面に十字が表示されるとともに、下部に、メカスイッチ「セット」１２ｉを押せば登録地が設定される操作案内メッセージ「セット→登録地設定」が表示される。そして、図３に示すメカスイッチ「カーソル」１２ｈを操作して、上記十字を周辺登録地に設定したい場所へ移動させた後、メカスイッチ「セット」１２ｉを押す。」（段落【００３２】）
オ）「例えば、「別荘」のマークに対応するタッチスイッチ１３ｇ（図中斜線示）を押すと、図６（ｅ）のように、ＣＲＴ１１の画面の下部に「登録地を設定しました」といった操作案内メッセージが表示される。その後、図６（ｆ）のように、周辺登録地の地図とマークとが表示される。このとき、周辺登録地の登録地マークおよび位置情報は、第２のメモリ６４ａに記憶される。なお、周辺登録地の地図とマークとを表示してから数秒経過すると、現在地画面に変わる。」（段落【００３４】）
カ）「Ｓ１において、検索エリアの設定を行い、Ｓ２において、周辺施設、周辺登録地の何れの検索を行うか選択する。周辺施設の検索を選択すると、Ｓ３で周辺施設の検索の指令を促し、さらにＳ４で検索エリアの中心位置を指定する。そうすると、Ｓ５において、検索エリアの中心位置を中心とする所定範囲の複数のメッシュＮｏに対応付けられている周辺施設を、地図メモリ５０から読み出されて第２のメモリ６４ｂに記憶されている情報の中から検索する。Ｓ６において、検索された周辺施設名をＣＲＴ１１に表示する。」（段落【００３６】）
キ）「タッチスイッチ１３ｅの「周辺施設」を押すと、図８（ｃ）のように、例えば周辺施設の種類に対応するマークとともに表されたタッチスイッチ「駅」、「ＩＣ」、「ゴルフ場」、「ホテル」、「デパート」１３ｈを有する施設情報１画面、あるいはタッチスイッチ「レジャー」、「美術館」、「ディーラー」、「空港」、「フェリー」、「ＪＡＦ」１３ｉを有する施設情報２画面がＣＲＴ１１の画面に表示される。・・・施設情報１画面に変わる。」（段落【００３９】）
ク）「例えば、施設情報２画面のタッチスイッチ１３ｉの「ディーラー」を押すと、現在地を中心とする所定範囲のメッシュＮｏに対応付けられているディーラーが、地図メモリ５０から読み出されて第２のメモリ６４ａに記憶されている情報の中から検索され、図８（ｄ）のように、東京都内のディーラーの名称を示したタッチスイッチ１３ｌが複数ＣＲＴ１１の画面に表示される。」（段落【００４０】）
ケ）「例えば、タッチスイッチ１３ｌの「東京東〇〇　本社」を押すと、図８（ｅ）のように、選択したディーラーのある地図がＣＲＴ１１の画面に表示される。なお、図８（ｅ）において、タッチスイッチ１３ａの「情報」を押せば、選択したディーラーの住所、電話番号等が表示される。このように、周辺施設の種類を指定し、さらに検索エリアを設定してから、周辺地域の検索を行うので、最寄りの周辺施設の情報を短時間で得ることができる。」（段落【００４１】）
コ）「例えば、タッチスイッチ１３ｍｅの・・・。なお、図９（ｄ）において、タッチスイッチ１３ａの「情報」を押せば、選択した周辺登録地の住所、電話番号等が表示される。」（段落００４４】）
と記載されている。
　
（２）甲第２号証
　甲第２号証には、
ア）「上記第１検索条件選択部７は物件項目（ホテル，病院，食堂，駐車場等）の表示，選択を行うものであり、第２検索条件選択部８は地方（関東，関西，東海，中部等）の表示，選択を行うものであり、第３検索条件選択部９は都道府県の表示，選択を行うものであり、第４検索条件選択部１０は市区町村の表示，選択を行うものであり、第５検索条件選択部１１は物件名の選択を行うものである。」（段落【０００３】）
イ）「先ず操作スイッチ４で自重位置近辺の情報検索の操作を行うと、・・・、その代わりに自車位置情報取得部１６が自車位置決定部１から自車位置情報を取得してこれを検索条件設定部１２に検索条件としてダイレクトに設定する。そこで第１検索条件選択部７にて物件項目を選択すると、検索部１３は自車の現在位置の設定距離Ｒ範囲内にある該当物件を検索条件として、必要なデータをデータ部２からリストアップし、その複数の情報群は検索部１３に蓄積される。情報整理部１７は自車位置情報取得部１６からの自車位置情報と検索部１３に蓄積された情報群とから、自車位置近辺にある数件の物件名を自車位置からの距離に従って設定された順序に並べ変え、・・・、表示指示部１４はこれをインタフェイス・画像処理部５を通して表示部６に表示する。」（段落【００１８７】）
ウ）「即ち、・・・。そしてその複数の物件名の表示順序は、自車の進行方向で自車に最も近い物件名即ち「船橋営業所」が複数の表示のうちのほぼ中間位置に表示され、それより上方は進行方向，下方は進行方向に対して後方の物件名であって、進行方向では上にいくに従って距離が遠く、後方では下にいくに従って距離が遠いという表示順序を採っている。・・・。このような表示順序設定は情報整理部１７で行われる。」（段落【００２０】）
エ）「ここで第５検索条件選択部１１で「船橋営業所」を選択すると、ｄのように物件情報の最終表示としてその選択した物件の詳細情報が表示されるか、または音声によって詳細情報をドライバに知らせる。」（段落【００２１】）
オ）「この原理を利用して、・・・、自車の方向がＹ軸に乗るようθを決めても良い。」（段落【００２５】）
カ）「情報整理部１７による物件名表示順序を、図２に示すように複数の物件名のほぼ中央部に自車から最も近い物件名を表示し、それより上方を前方物件名，下方を後方物件名とし、これらを距離の順序に上方へ，下方へと列記するものとすると、非常に見易く選択が容易となると言う効果をもたらし得るが、・・・他と区別して目立つようにするものとする。」（段落【００２６】）
キ）「尚本発明においては、上記のようにダイレクト検索条件設定を選択した場合自車位置情報が直接検索条件として設定されるようにしたことが基本であるが、・・・、上記実施例と同様にその地点を基準として設定距離範囲の地域情報を検索表示するようにしてもよい。」（段落【００２９】）
ク）「図４において、第１〜５の検索条件選択部７，８，９，１０，１１及び自車位置情報取得部１６は図２（Ｂ）の実施例と同じであるが、・・・。そして検索手段選択部１５にて、第２〜４の検索条件選択部８〜１０を用いた従来的検索を行なうか自車位置情報を検索条件としてダイレクトに物件検索を行なうかを選択できるだけでなく、目的位置記憶部１８が記憶している複数の地点情報の中の任意の一つを検索条件として選択することができるようになっている。」（段落【００３１】）
ケ）「検索手段選択部１５で従来通りの地域条件選択用の第２，第３及び第４の検索条件選択部８，９及び１０を用いるマニュアル設定を選択した場合は、基本的には地点（ポイント）の設定ができず、従って検索条件設定部１２には例えば市町村単位のエリアとして条件設定が行なわれるので、検索部１３は設定されたエリア内の物件をデータ部２からリストアップして検索結果記憶部１３′が記憶し、情報整理部１７はそのエリア情報ソーティング部１７ｅがリストアップされた物件名を例えばア，イ，ウ，エ，オ順或はＡ，Ｂ，Ｃ順等に並べ換えそのリストの中央の物件名にカーソル，アンダライン，網掛け等の印を付ける、という処理を行ない、それに基づき表示指示部１４がインタフェイス・画像処理部５を通して表示部６に表示する。」（段落【００３４】）
と記載されている。
　
５．対比・判断
（１）本件発明１について
　本件発明１と甲第１号証に記載の発明とを対比すると、後者は、前者の構成の一部である、「画像表示された複数の施設に関する情報から必要とする施設のエリアが自車位置周辺かそれ以外かを設定するエリア設定ステップ」と、「リストアップされた施設から所定の施設を選択すると共に、選択された施設を目的地として決定するかキャンセルするかを選択せしめる目的地決定選択ステップ」とを備えていない。
　甲第１号証には、現在地を中心とする所定範囲のメッシュＮｏに対応付けられている周辺施設を検索すること、及び、周辺施設の検索の指令を促し、さらに検索エリアの中心位置を指定することは記載されているものの、周辺施設の検索における最初のステップにおいて、検索する周辺施設のエリアが自車位置周辺かそれ以外かを設定するステップを備えていない。
　また、甲第１号証に記載された地点登録は、全国地図を利用して地図を出し、該地図に表示された場所を登録地として設定するものであり、該設定ステップを、施設を利用して出した地図に適用しても、登録地は地図上に表示された地点から設定するものであるので、リストアップされた施設から選択するものとはならない。
　したがって、本件発明１は甲第１号証記載の発明と同一ではない。
　
（２）本件発明２について
　本件発明２と甲第２号証に記載の発明とを対比すると、後者は、前者の構成の一部である、「リストアップされた施設から所定の施設を選択すると共に、選択された施設を目的地として決定するかキャンセルするかを選択せしめる目的地決定選択ステップ」を備えていない。
　甲第２号証には、検索した物件を目的地として登録することについては記載がなく、まして、リストに表示された物件から所定の物件を選択し、選択された物件を目的地として決定するかキャンセルするかを選択せしめるステップを備えることについては何ら記載がない。
　したがって、本件発明２は甲第２号証記載の発明と同一ではない。
　
（３）本件発明３について
　本件発明３と甲第２号証に記載の発明とを対比すると、前記５．（２）で判断したのと同様に、後者は、前者の構成の一部である、「リストアップされた施設から所定の施設を選択すると共に、選択された施設を目的地として決定するかキャンセルするかを選択せしめる目的地決定選択ステップ」を備えていない。
　甲第２号証には、検索した物件を目的地として登録することについては記載がなく、まして、リストに表示された物件から所定の物件を選択し、選択された物件を目的地として決定するかキャンセルするかを選択せしめるステップを備えることについては何ら記載がない。
　したがって、本件発明３は甲第２号証記載の発明と同一ではない。
　
６．むすび
　以上のとおりであるから、特許異議の申立ての理由によっては請求項１ないし３に係る発明の特許を取り消すことはできない。
　また、他に請求項１ないし３に係る発明の特許を取り消すべき理由を発見しない。
　よって、結論のとおり決定する。
【異議決定日】
平成１５年５月３０日（２００３．５．３０）